(57)【特許請求の範囲】
【請求項１】
一対のレンズ部と、これらレンズ部の中心線側端部を相互連結する鼻連結具を備えた水泳用視野保護装置において、
前記鼻連結具は、
側方向の両端部に形成された第1貫通孔と第1貫通孔から中心線側へ離隔形成された第2貫通孔とを有する可撓性連結バンドと、
それぞれの前記レンズ部の中心線側端部に形成され、前記レンズを前記可撓性連結バンドと結合させる連結バンド支持部材とを含み、
それぞれの連結バンド支持部材は、
前記一対のレンズ部のそれぞれの中心線側端部から延長されて、内部面及びこれに対向する外部面を有する延長ノブと、
内部面及びこれに対向した外部面と、使用者の鼻に向かう第1端部と、前記第1端部から側方向に延長されて前記第1端部に対向して位置する第2端部とを有する支持フック部材と、
前記延長ノブの内部面と前記支持フック部材の外部面とを連結する連結部とを含み、
それぞれの前記支持フック部材の第1端部と第２端部が前記可撓性連結バンドのの両端部に形成された第1貫通孔に通過されて、前記各第1貫通孔が前記連結部周囲に位置し、前記第２端部が前記第２貫通孔に挿入されていることを特徴とする水泳用視野保護装置。
【請求項２】
第1及び第2レンズ部と、これらレンズ部の中心線側端部を相互連結する鼻連結具を備えた水中眼鏡において、
前記鼻連結具は、
全体の長さにわたり側方向に位置する5つ以上の貫通孔を有する可撓性連結バンドと、
前記第1レンズ部の中心線側端部に形成された第1連結部材と前記第2レンズ部の中心線側端部に形成された第2連結部材とを含み、
前記レンズ部各々は前記可撓性連結バンドに各中心線側端部から連結され共に結合されて、
それぞれの連結バンド支持部材は、
前記それぞれのレンズ部の中心線側端部に向かって延長され、内部面及びこれに対向する外部面を有する延長ノブと、
内部面及びこれに対向する外部面と、使用者の鼻に向かう第1端部と、前記第1端部から側方向に延長されて第１端部に対向する第2端部とを有する支持フック部材と、
延長ノブと前記支持フック部材とを連結する連結部とを含み、
それぞれの支持フック部材の第1端部と第２端部が可撓性連結バンドの一つの貫通孔に通過されて、前記一つの貫通孔が前記連結部周囲に位置し、前記第２端部が前記一つの貫通孔から前記中心線に向かって位置したもう一つの貫通孔に挿入されていることを特徴とする水中眼鏡。
【請求項３】
第1項において、可撓性連結バンドはポリウレタンで形成されたことを特徴とする水泳用視野保護装置。
【発明の詳細な説明】
【０００１】
【技術分野】
本発明は水中眼鏡に関し、特に水中眼鏡のレンズ部間の間隔を簡便に調節することができ、水中眼鏡が偶然に外れても安全な鼻連結具を有する水中眼鏡に関する。
【０００２】
【背景技術】
水中眼鏡は左右に所定の距離を置いて配置される一対のレンズ部と、これらレンズ部の中心線側の端部を相互連結する鼻連結具を含む。このような鼻連結具は一対のレンズ部の中心線側の端部を相互連結して一定距離に維持する機能をし、また各レンズ部間の間隔を適切に調節する機能も有する。
【０００３】
各レンズ部間の間隔を調節することができる従来の鼻連結具が備えられた従来の水中眼鏡100の一例が示された図1を参照すれば、鼻連結具120は所定間隔に離隔された各幅方向突起122a, 122bが内部面に形成された連結バンド122の両端部をレンズ部110の中心線側端部に形成された各連結バンド挿入孔121を通過させることで一対のレンズ部110を連結させる。レンズ部の中心線側端部に形成された連結バンド挿入孔121は突起122a, 122bが形成された連結バンドの部分が強引に通過させられる程のサイズになっていて、連結バンドの各突起間の部分122cが前記挿入孔内に位置した時、連結バンド122はレンズ部110間の間隔を一定に維持する状態で固定される。各レンズ部110間の間隔をさらに狭めようとする時、使用者は連結バンドの突起122a, 122bのうち中心線側の突起122bをレンズ部110の中心線側端部に形成された連結バンド挿入孔121を通過させればよい。このような鼻連結具120の連結バンド122はレンズ部110の間隔維持機能だけを遂行すれば充分であり、また連結バンド122の内部面上に形成された突起122a, 122bが挿入孔121を容易に通過できないようにしなければならないため、連結バンド122は可撓性を必要としない。したがって、このような種類の鼻連結具の連結バンドは通常、弾性がない硬質プラスチックで形成される。
【０００４】
前記水中眼鏡は各レンズ部110間の間隔が狭くなるように連結バンド122が設置された時には連結バンド122の端部が着用者の顔の鼻柱の上部で伸びるようになる。このような連結バンド122の伸びた部分は水中眼鏡100が偶然に外れた時、水によって弱くなった着用者の鼻柱の皮膚を傷つけることもある。また、挿入孔121は突起122a, 122bが形成された連結バンド部分が容易に通過できないサイズになっているため、各レンズ部間の間隔を調節する作業が容易ではない。
【０００５】
他の形態の鼻連結具220が備えられた従来の水中眼鏡200が示された図2を参照すると、鼻連結具222は所定間隔に離隔された複数個の第1貫通孔222a, 222bが形成された連結バンド222と、前記連結バンド222が各レンズ部210間に配置された時、連結バンド222に形成された第1貫通孔222a, 222bのうち一つと整列されるように、各レンズ部の中心線側端部に形成される第2貫通孔221と、前記第1貫通孔222a, 222b のうち一つと前記第2貫通孔221を整列させた時、第1貫通孔のうち一つと第2貫通孔を通過して、これらを固定するように挿入される固定ピン223を含むもので、各レンズ部210間の間隔を調節する時、固定ピン223を除去した後で第2貫通孔221を他の第1貫通孔に整列させた後で挿入する作業は面倒なだけでなく固定ピン223を紛失するおそれがある。
【０００６】
また他の形態の鼻連結具320が備えられた従来の水中眼鏡300が図3に示されている。図3は長手方向の両端部に一つずつの貫通孔322aを有する可撓性連結バンド322と、各レンズ部310の中心線側端部に形成され前記連結バンドが支持されるようになっている連結バンド支持部321で構成されている鼻連結具320を示している。前記連結バンドの支持部321は各レンズ部310の中心線側端部から中心線側へ延長された延長部321aと、延長部321aの内部面から突出延長されるフック部321bと、延長部321aの外部面から外側へ突出した係止顎321cを含む。前記フック部321bと係止顎321cはレンズ部の中心線側端部の延長部321aと一体に成形される。前記連結バンド支持部321のフック部321bと係止顎321cは、連結バンド322がその一端部に形成された貫通孔322aを通じてフック部321bが通過した後、係止顎321c上に支持されるように構成される。このような連結バンド322は連結バンド支持部321から偶然に結合が解除される傾向があるだけでなく、水中眼鏡を着用した時、連結バンド支持部321のフック部321bが着用者の顔面に対面するようになっていて水中眼鏡が偶然に外れる時、水によって弱くなった着用者の顔の皮膚に傷をつけることがある。
【０００７】
【発明の開示】
本発明は従来技術が有する前記の問題点を解決するためのもので、本発明の主な目的は水中眼鏡の各レンズ部間の間隔を容易に調節することができるように連結バンドの着脱が容易な水中眼鏡を提供することである。
【０００８】
本発明の他の目的は連結バンドが連結バンド支持部材から使用中に偶然に除去されないように信頼性をもって、バンドを支持する連結バンド支持部材を有する水中眼鏡を提供することである。
【０００９】
本発明の他の目的は、連結バンド支持部材が比較的小型であり、着用中に水中眼鏡が偶然に外れる場合にも着用者の顔面を損傷させない安全な水中眼鏡を提供することである。
【００１０】
通常、水泳用の水中眼鏡あるいは視野保護装置は一対のレンズ部と、これらレンズ部の各中心線側端部を相互連結する鼻連結具を含む。ここに使用される「中心線」というのは鼻の垂直中央面に平行で頭からつま先まで垂直につながった人体の中心線に対応する特許請求された装置部分を意味する。各レンズ及び鼻連結具の長手方向移動は垂直中心線に直角であると考慮しなければならない。したがって、レンズが二つの長手方向端部を有していれば、一つのレンズの「中心線側端部」というのは使用者の解剖学的中心線側にある端部を意味し、「側方向端部」というのは中心線側端部から遠い、すなわち、中心線側端部の反対側の端部であることを意味する。
【００１１】
本願発明の一態様によれば、本発明の鼻連結具はそれぞれのレンズと別個に構成された可撓性連結バンド及びそれぞれのレンズに形成された２つの支持部材を含む。可撓性連結バンドはポリウレタンのような相対的に軟らかい質感の柔軟材料(pliable material)で製造され得る。
【００１２】
連結バンドは二つの側方向端部上に各々位置した少なくとも一対の第1貫通孔対、前記第1貫通孔対から中心線に向かって遠くなる方向へ離隔された少なくとも一対の第2貫通孔対を含む。詳述した通り、「側方向」位置変化ということは水平方向、すなわち、垂直中心線に直角である方向から遠くなる方向への空間関係を意味する。
【００１３】
連結バンド支持部材は各レンズのそれぞれの中心線側端部に形成され、レンズを可撓性連結バンドに連結するようになっている。各支持部材はノブ、支持フック部材、ノブとフック部材を連結する連結部を含む。各ノブはレンズの中心線側端部から延長され、外部面と外部面に対向する内部面を有する。ここで使用される用語「正面」、「外部」、「外側」は本発明の水中眼鏡を着用した時、使用者から遠い方向に向かう面を言い、「後方」、「内部」、「内側」は本発明の水中眼鏡を着用した時、使用者に向かった面を言う。
【００１４】
それぞれの支持部材はまた、外面と外面に対向する内面を有するフック部材、第1端部及び第2端部を有する。第2端部は第1端部と対向し側方向へ延長され、連結部はノブの内部面をフック部材の外部面に連結する。第2端部は水中眼鏡を着用した時、使用者の鼻から遠くなる方向へ外部面に向かって傾くようにして一体に形成される。レンズにまた一体型に形成されたノブ及びフック部材の残りの部分は第2端部に沿ってテーパー(taper)形状になっており、使用者の鼻から遠くなる方向へテーパー加工される。
【００１５】
それぞれの支持フック部材の第1端部を可撓性連結バンドの第1貫通孔を通過させ、可撓性連結バンドを支持フック部材にかける。この状態で可撓性連結バンドを引っ張って支持フック部材の第2端部までも第１貫通孔に通過させる。その後、前記各第1貫通孔が前記連結部の周囲に位置して第２端部が第２貫通孔に挿入するようにすることで、可撓性連結バンドの前記側方向端部の各々が対応するバンド支持部材により支持される。
【００１６】
【発明を実施するための最良の形態】
本発明を添付図面を参照して以下でより詳細に記述することにする。本発明の水中眼鏡400が示された図4を参照すれば、水中眼鏡400は一対のレンズ410と、レンズの中心線側端部を連結する鼻連結具420を含む。ここで使用される用語「レンズの中心線側端部」は水中眼鏡を着用した時、着用者の鼻に近接したレンズの端部を意味する。
【００１７】
本発明の鼻連結具420はその側方向の両端部それぞれに隣接して形成された第1貫通孔422aと第1貫通孔422aから離隔されて形成された第2貫通孔422bを有する可撓性連結バンド422と、前記可撓性連結バンド422によって連結されるレンズ部410の中心線側端部に形成された連結バンド支持部材421を含む。
図5を参照すれば、可撓性連結バンド422がない状態で連結バンド支持部材421がより具体的に示されている。それぞれの支持部材421は各レンズ部410の中心線側端部に形成され、延長ノブ421aと、支持フック部材421bと、延長ノブ421aと支持フック部材421b間を連結する連結部421cを含む。図示された通り、延長ノブ421a、支持フック部材421b、連結部421cはレンズ410に(例えばモールディング(molding)により)一体に形成される。
【００１８】
前記延長ノブ421aはレンズ部410の中心線側端部から中心線に向かって延長され、水中眼鏡400を着用した時、着用者の顔面に対面するようになる内部面及びこれに対向した外部面を有する。支持フック部材421bは水中眼鏡着用時に顔面に対面する内部面及びこれに対向した外部面と第1端部421b’及び第2端部421b”を有する。連結部421cは前記支持フック部材421bの外部面と前記延長ノブ421aの内部面を連結する。
【００１９】
第2端部421b”は使用者が水中眼鏡を着用した時、使用者の鼻から遠くなり、外部面に向かう方向へ傾斜するように一体型に形成される。フック部材421b及び延長ノブ421aの残りの部分も全て、またレンズに一体に形成されていて、図5で示した通り使用者の鼻から遠くなるようにテーパー(taper)加工されている。したがって、使用者の顔面から空間的により大きく離隔されているようにするために、着用者の鼻の中心線から遠くなる方向へ傾いている。このような方法で、鼻柱の高い人、あるいはその他の人の鼻に接触するようになる危険がほとんどない。また水中眼鏡着用中に水中眼鏡が偶然に正しい位置から外れる時にも着用者の顔面に触れる可能性が小さくなる。したがって、着用者が水中眼鏡の鼻連結具によって傷を負う危険が少ない。
【００２０】
図6は前記連結バンド支持部材421の延長ノブ421aに一体に形成された支持フック部材421bと連結部421cに可撓性連結バンド422が位置していることを示している。支持フック部材421bの第1端部421b’は可撓性連結バンド422の第1貫通孔422aを通過するようになっている。(図4及び図6を共に参照)。この状態で、可撓性連結バンド422は支持フック部材421b にかけられることになる。この時、可撓性連結バンド422 (図4参照)を引張させて第1貫通孔422aが伸びるようにした後、伸びた第1貫通孔422aを通じて第2端部421b”（図6参照)まで通過させる。そして、第2端部421b”が可撓性連結バンド422の第2貫通孔422b内へ挿入するように引っ張られた可撓性連結バンド422を放す。従って、可撓性連結バンド422の端部が対応するバンド支持部材421により支持された時、第1貫通孔422aは連結部421cの周囲に位置し、第2端部421b”は第2貫通孔422b内に挿入されている。
詳述した本発明の鼻連結具420を構成する各部品を使用することで、連結バンド422は連結バンド支持部材421に簡便に設置できる。一旦、設置された連結バンド422は第2端部421b”が連結部421cの周囲に固く維持された第2貫通孔422bと共に連結バンド422を留めているのでバンド支持部材421から容易に抜け出ない。
【００２１】
また、このような構成を有する本発明の連結バンド支持部材は従来の技術に比べ相対的に小さいサイズを有するコンパクトな一体型製造物が可能で、水中眼鏡全体の構成で占める空間が小さい。したがって、水中眼鏡のデザインを一層自由にできるだけでなく、水中眼鏡を着用した状態で水中眼鏡が偶然に正しい位置から外れたりあるいは意図的に取り外す場合でも着用者の顔面に傷をつけることが避けられる安全な構造物を提供する。
【００２２】
連結バンド422を水中眼鏡400により容易に装着できるようにするために、連結バンド422は若干の弾性を持たなければならない。しかし、レンズ部間の間隔維持の機能を遂行するためには弾性があまり大きくてはだめである。したがって、本発明の水中眼鏡400の連結バンド422は望ましくはポリウレタンで形成する。装着の容易性、調節機能のための過度でない弾性、安全な質感のような詳述した必要条件を充足する他の材料が使用可能であることは当業者ならば分かることである。このような代替可能材料の使用に関したことも全て本発明のカテゴリー内にあるものと考慮される。
【００２３】
一方、図示された本実施例では連結バンド(422;図4参照)に4つの貫通孔を有するものと示されている。図示された実施例では第1及び第2貫通孔422a, 422bが連結バンドの側方向端部に向かって形成されている。図4は３つの異なる長さを示していて、この場合第2貫通孔422b間の空間が変化する。4つ以上の多数の貫通孔が形成され得ることは当業者ならば十分に分かることである。例えば、図7に示された通り、第3貫通孔422cが可撓性連結バンド422の第2貫通孔422bから中心線側へ追加で離隔形成され得る。したがって、それぞれの支持部材の第1端部421b’を可撓性連結バンドの第2貫通孔422bを通過させた状態で、可撓性連結バンド422を引っ張って第２貫通孔422bをさらに伸ばし、伸びた第２貫通孔422bを通じて支持フック部材421bの第2端部421b”まで通過させた後、第2端部421b”が可撓性連結バンドの第3貫通孔422cに挿入されるようにすることで、可撓性連結バンド422の端部が該当バンド支持部材421に支持させれば、可撓性連結バンドの第2貫通孔422bと第3貫通孔422c間の部分が支持フック部材421bの外部面上で第2端部421b”のフック部と連結部421cとの間に介在させることで、各レンズ部410間の間隔をより狭くすることができる。また、図8に図示された通り複数個の貫通孔が連結バンドの全体の長に渡って連続的に形成された連結バンドを使用することができる。この場合、連結バンドに形成される全体の貫通孔の個数は5つ以上でなければならない。
【００２４】
両レンズ部410間を連結する可撓性連結バンド422の長さを大、中、小と異なるようにした複数個の可撓性連結バンド422セットを用意し、複数個の可撓性連結バンドのうち着用者の眉間の長さに合う連結バンドを選択することで両レンズ部410間の距離を適切に調節することができる。
【００２５】
以上で、本発明を良好な実施例を挙げて説明したが、本発明はこれに限定されるのではなく、この他にも本発明のカテゴリーから逸脱することなく様々に変更または変形させることが可能である。
【図面の簡単な説明】
【図1】従来の鼻連結具を有する水中眼鏡の斜視図。
【図2】他の従来の鼻連結具を有する水中眼鏡の斜視図。
【図3】他の従来の鼻連結具を有する水中眼鏡の斜視図。
【図4】３種類の異なるサイズの連結バンドを図示している本発明の水中眼鏡の斜視図。
【図5】本発明のレンズ上に位置した連結バンド支持部材の斜視図。
【図6】図5に示したレンズと、レンズ上に位置した連結バンド支持部材に結合及び支持されている連結バンドの一部分の部分斜視図。
【図7】本発明の鼻連結具の一実施例による連結バンドの斜視図。
【図8】本発明の鼻連結具の他の実施例による連結バンドの斜視図。
【図１】
0003850294.tif 000002
【図２】
0003850294.tif 000003
【図３】
0003850294.tif 000004
【図４】
0003850294.tif 000005
【図５】
0003850294.tif 000006
【図６】
0003850294.tif 000007
【図７】
0003850294.tif 000008
【図８】
0003850294.tif 000009